(57)【要約】【目的】情報入力が面倒な携帯電話等に簡単に情報入力できる機器等を提供することを目的とする。【解決手段】複数のアプリケーションプログラムを処理する携帯電話１に情報を転送するための転送装置３であり、転送手段３はアプリケーションを特定するためのアプリケーション特定情報とアプリケーション実行時に使用される実情報とからなる入力情報を入力し、前記実情報を前記アプリケーション特定情報が示すアプリケーションプログラムのための情報として携帯電話１に転送する。【選択図】  図１
2004215195.tif 000002
【特許請求の範囲】
【請求項１】
複数のアプリケーションプログラムを処理する処理手段に情報を転送するための転送手段を含むものであり、
前記転送手段は、アプリケーションを特定するためのアプリケーション特定情報とアプリケーション実行時に使用される実情報とからなる入力情報を入力し、前記実情報を前記アプリケーション特定情報が示すアプリケーションプログラムのための情報として前記処理手段に転送する転送処理を行うことを特徴とする情報転送システム。
【請求項２】
前記処理装置とは、携帯電話又はＰＨＳであることを特徴とする請求項１記載の情報転送システム。
【請求項３】
前記入力情報は二次元バーコードであることを特徴とする請求項１乃至２記載の情報転送システム。
【請求項４】
前記入力情報には前記実情報の受渡可否を決定する著作権管理情報が含まれ、
前記転送手段は、前記著作権管理情報が受渡不可を意味する情報である場合、前記実情報の著作権を保護するための著作権保護処理を行うことを特徴とする請求項１乃至３記載の情報転送システム。
【請求項５】
複数のアプリケーションプログラムを処理する処理手段に情報を転送するための転送手段に処理を行わせるものであり、
前記転送手段にアプリケーションを特定するためのアプリケーション特定情報とアプリケーション実行時に使用される実情報とからなる入力情報を入力させ、前記実情報を前記アプリケーション特定情報が示すアプリケーションプログラムのための情報として前記処理手段に転送する転送処理を行わせることを特徴とする情報転送のためのコンピュータプログラム。
【請求項６】
前記処理装置とは、携帯電話又はＰＨＳであることを特徴とする請求項５記載の情報転送のためのコンピュータプログラム。
【請求項７】
前記入力情報は二次元バーコードであることを特徴とする請求項５乃至６記載の情報転送のためのコンピュータプログラム。
【請求項８】
前記入力情報には前記実情報の受渡可否を決定する著作権管理情報が含まれ、
前記転送手段に、前記著作権管理情報が受渡不可を意味する情報である場合、前記実情報の著作権を保護するための著作権保護処理を行わせることを特徴とする請求項５乃至７記載の情報転送のためのコンピュータプログラム。
【発明の詳細な説明】
【０００１】
【発明の属する技術分野】
本発明は、携帯電話等の装置に情報を入力するためのシステム等に関するものである。
【０００２】
【従来の技術】
近年の携帯電話の普及に伴い、携帯電話の多機能化も進んでいる。即ち、最近の携帯電話には音声通話の機能のみならず、電子メールの交換、インターネットへの接続、住所録管理、スケジュール管理、着信メロディの登録等、様々な機能が備えられている。携帯電話の利用者はこれら機能を利用すべく様々な情報を携帯電話に入力する。例えば、図１３のように携帯電話５０を利用して住所録管理をする場合、住所録に登録する氏名や住所等を携帯電話５０の入力キー５１を利用して入力する（例えば、非特許文献１参照）。
【０００３】
【非特許文献】
ＮＴＴドコモの携帯電話「ムーバＦ６７１ｉ」に付属されている取扱説明書「らくらくホン２  ムーバＦ６７１ｉ  簡単操作ガイド  ２００２．３」  ｐ．５０−５１
【０００４】
【発明が解決しようとする課題】
しかし、携帯電話５０には入力キー５１の数が少ないため入力作業が面倒であるという問題がある。例えば、携帯電話５０に「ほ」を入力するには「は行」のキーを５回押さなければならないし、「ぞ」を入力するには「さ行」のキーを５回押し、更には記号キーを数回押して「゛」を呼出さなければならない。このように携帯電話５０への情報入力は非常に面倒で、慣れていない人にとっては苦痛な作業であり、結局は携帯電話への情報入力を諦めてしまう人も少なくない。
そこで、携帯電話などの情報入力が面倒な装置に対して簡単に情報を入力できるシステム等が求められるところである。
【０００５】
【課題を解決するための手段】
本発明は、例えば、次のようなシステム、方法、コンピュータプログラムである。
（１）複数のアプリケーションプログラムを処理する処理手段に情報を転送するための転送手段を含むものであり、前記転送手段は、アプリケーションを特定するためのアプリケーション特定情報とアプリケーション実行時に使用される実情報とからなる入力情報を入力し、前記実情報を前記アプリケーション特定情報が示すアプリケーションプログラムのための情報として前記処理手段に転送する転送処理を行う。
（２）前記処理装置とは、携帯電話又はＰＨＳである。
（３）前記入力情報は二次元バーコードである。
（４）前記入力情報には前記実情報の受渡可否を決定する著作権管理情報が含まれ、前記転送手段は、前記著作権管理情報が受渡不可を意味する情報である場合、前記実情報の著作権を保護するための著作権保護処理を行う。
【０００６】
【発明の実施形態】
本発明の第一実施形態を図に基づいて説明する。図１は本発明の実施に必要なハードウェアとそのハードウェアの結びつきを表した概略図である。
これらハードウェアは、携帯電話１と二次元バーコードの読取装置（データ入力用のカメラ２）とからなり、このカメラ２にはカメラ２から入力されたデータを加工し、携帯電話１に転送するための転送装置３が内蔵されている。
携帯電話１と転送装置３とはデータ伝送可能なケーブル４で接続されており、転送装置３から携帯電話１へデータを伝送できるようになっている。
なお、二次元バーコードとは周知技術である従来のバーコードを二次元で表したものであり、通常のバーコードより多くの情報を伝達できるという点でバーコードをより進歩させた技術であるが、その基本原理は従来のバーコードと同様である。
また、携帯電話１には記憶装置が内蔵されており、この記憶装置には複数のアプリケーションプログラムが記憶されている。これにより携帯電話１では、音声通話のみならず、住所録管理、スケジュール管理、着信メロディの管理等が行えるようになっている。なお、本実施形態では、携帯電話１が処理手段としての役割を果し、転送装置３が転送手段としての役割を果す。
【０００７】
次に、本発明を実現するための処理手順について説明する。本発明の処理手順は、＜データ入力処理：ＳＴＥＰ１＞→＜データの加工・転送処理：ＳＴＥＰ２＞→＜携帯電話への記憶処理：ＳＴＥＰ３＞の手順で行う。以下、これら処理について説明する。
【０００８】
＜データ入力処理：ＳＴＥＰ１＞
図２は三田一夫さんという人の名刺である。この名刺には三田さんの氏名や住所・電話番号・メールアドレスが印刷されている。また、この名刺の下部には名刺の情報を二次元バーコードで表したもの（図２の符号５）が印刷されている。この二次元バーコード５の内容を入力するためにはカメラ２で二次元バーコード５の内容を読み取り、情報を入力する。これにより、図３に表された入力情報「Ａ０１△△△△△△△△△△△△△△△△△三田△一夫△△△△△△△△△△△△△△△東京都港区赤坂○−○−○△△△△△△△△０３−３５８２−××××△△△△△△△△○○○＠●●●．ｃｏｍ△△△△△△△△△受渡可△△△△△△△△△△△△△△△△△」が転送装置３に入力される。なお、本実施形態では、「Ａ０１△△△△△△△△△△△△△△△△△」の部分がアプリケーション特定情報としての役割を果し、「三田△一夫△△△△△△△△△△△△△△△東京都港区赤坂○−○−○△△△△△△△△０３−３５８２−××××△△△△△△△△○○○＠●●●．ｃｏｍ△△△△△△△△△」の部分が実情報としての役割を果し、「受渡可△△△△△△△△△△△△△△△△△」の部分が著作権管理情報としての役割を果す。
【０００９】
＜データの加工・転送処理：ＳＴＥＰ２＞
転送装置３は入力された入力情報を携帯電話１に転送するために加工する。
転送装置３には記憶装置が内蔵されており、この記憶装置には図４に表すような入力形式テーブルが記憶されている。この入力形式テーブルは複数の入力形式レコードからなるものであり、各アプリケーションに対応したデータの形式を表したものである。
転送装置３は入力情報の最初の３桁「Ａ０１」に基づいて入力形式テーブルを検索する。これにより図４に表された入力形式レコード「アプリケーション特定情報：Ａ０１／入力形式１：２１桁目から４０桁目＝氏名／入力形式２：４１桁目から６０桁目＝住所／入力形式３：６１桁目から８０桁目＝電話番号／入力形式４：８１桁目から１００桁目＝メールアドレス／入力形式５：１０１桁目から１２０桁目＝著作権管理情報」が検索される。
【００１０】
次に、転送装置３は、入力情報の内容を検索した入力形式レコード（図４）に基づいて加工して加工後データを作成する。具体的には、加工後データ「アプリケーション特定情報：Ａ０１／氏名：三田一夫／住所：東京都港区赤坂○−○−○／電話：０３−３５８２−ＸＸＸＸ／メールアドレス：○○○＠●●●．ｃｏｍ／著作権管理情報：受渡可」を作成する。そして、この加工後データを携帯電話１に送信（転送）する。なお、本実施形態では、この＜データの加工・転送処理：ＳＴＥＰ２＞が転送処理としての役割を果す。
【００１１】
＜携帯電話への記憶処理：ＳＴＥＰ３＞
次に、携帯電話１は転送された加工後データを受信する。そして、携帯電話１に内蔵された記憶装置に情報と登録するため以下の処理を行う。
携帯電話１の記憶装置には、図５のようなアプリケーション対応テーブルが記憶されている。携帯電話１は受信した加工後データに含まれる「アプリケーション特定情報：Ａ０１」に基づいてアプリケーション対応テーブル（図５）を検索する。これにより受信した加工後データが住所録管理のためのデータであると判断し、加工後データを住所録テーブルに追加・記憶する。これにより住所録テーブルは図６「レコードＮｏ：１／アプリケーション特定情報：Ａ０１／氏名：田口ひろこ／住所：東京都新宿区西新宿○−○−○／電話番号：０３−５６４２−ＸＸＸＸ／メールアドレス：ａｂｃ＠ｓｓｓ．ｊｐ／著作権管理情報：受渡可／レコードＮｏ：２／アプリケーション特定情報：Ａ０１／氏名：山田太郎／住所：神奈川県川崎市宮前区○−○−○／電話番号：０４４−３２５−ＸＸＸＸ／メールアドレス：○○○＠ｘｙｚ．ｃｏｍ／著作権管理情報：受渡可／レコードＮｏ：３／アプリケーション特定情報：Ａ０１／氏名：三田一夫／住所：東京都港区赤坂○−○−○／電話番号：０３−３５８２−ＸＸＸＸ／メールアドレス：○○○＠●●●．ｃｏｍ／著作権管理情報：受渡可」となる。即ち、これまで２件しかなかった住所録レコードに三田さんのレコードが３件目として加わることになる。
このようにすれば、携帯電話の入力キーを操作することなく簡単に情報を入力することができる。また、入力情報にはアプリケーション特定情報が含まれているので、入力された実情報がどのアプリケーションプログラムのための情報であるかを容易に判断でき、実情報を確実にそのアプリケーションプログラムのための情報として登録できる。
【００１２】
なお、本発明は住所録データの入力だけでなく、様々なアプリケーションプログラムのための情報入力に利用できる。
例えば、携帯電話１にスケジュール管理機能がある場合は、上記＜データ入力処理：ＳＴＥＰ１＞、＜データの加工・転送処理：ＳＴＥＰ２＞、＜携帯電話への記憶処理：ＳＴＥＰ３＞と同様の処理を行えばよい。即ち、以下のような処理を行えばよい。
（処理１）図７のようなスケジュールに関する入力情報「Ａ２４△△△△△△△△△△△△△△△△△２００２年１２月３０日△△△△△△△△△１０時３０分△△△△△△△△△△△△△△東京駅にて待ち合せ△△△△△△△△△△△受渡可△△△△△△△△△△△△△△△△△」がある場合、それをカメラ２で読み取る。なお、ここでは、「Ａ２４△△△△△△△△△△△△△△△△△」の部分がアプリケーション特定情報としての役割を果し、「２００２年１２月３０日△△△△△△△△△１０時３０分△△△△△△△△△△△△△△東京駅にて待ち合せ△△△△△△△△△△△」の部分が実情報としての役割を果し、「受渡可△△△△△△△△△△△△△△△△△」の部分が著作権管理情報としての役割を果す。
【００１３】
（処理２）転送装置３が該当する入力形式レコード（図８）「アプリケーション特定情報：Ａ２４／入力形式１：２１桁目から４０桁目＝年月日／入力形式２：４１桁目から６０桁目＝時間／入力形式３：６１桁目から８０桁目＝スケジュール内容／入力形式４：８１桁目から１００桁目＝著作権管理情報／入力形式５：情報なし」を検索し、それに基づいて入力情報を加工して、加工後データ「アプリケーション特定情報：Ａ２４／年月日：２００２年１２月３０日／時間：１０時３０分／スケジュール内容：東京駅にて待ち合せ／著作権管理情報：受渡可」を作成し、携帯電話１に転送する。
（処理３）加工後データを受信した携帯電話１は図５のアプリケーション対応テーブルから該当するアプリケーションがスケジュール管理であると判断し、受信した加工後データを図９のようにしてスケジュール管理テーブルに追加・記憶する。具体的には、スケジュール管理テーブルを「レコードＮｏ：１／アプリケーション特定情報：Ａ２４／年月日：２００２年１２月２９日／時間：１５時００分／スケジュール内容：会社に電話する／著作権管理情報：受渡可／レコードＮｏ：２／アプリケーション特定情報：Ａ２４／年月日：２００２年１２月３０日／時間：１０時３０分／スケジュール内容：東京駅にて待ち合せ／著作権管理情報：受渡可」とする。
【００１４】
また、携帯電話１に着信メロディの管理機能がある場合は、上記＜データ入力処理：ＳＴＥＰ１＞、＜データの加工・転送処理：ＳＴＥＰ２＞、＜携帯電話への記憶処理：ＳＴＥＰ３＞と同様の処理を行えばよい。即ち、以下のような処理を行えばよい。
（処理１）図１０のようなスケジュールに関する入力情報「Ａ５５△△△△△△△△△△△△△△△△△ドレミドレミミレドドラシラシミミソドドレレレミレドシシソソドラシドラララドレソソ受渡不可△△△△△△△△△△△△△△△△」がある場合、それをカメラ２で読み取る。なお、ここでは、「Ａ５５△△△△△△△△△△△△△△△△△」の部分がアプリケーション特定情報としての役割を果し、「ドレミドレミミレドドラシラシミミソドドレレレミレドシシソソドラシドラララドレソソ」の部分が実情報としての役割を果し、「受渡不可△△△△△△△△△△△△△△△△」の部分が著作権管理情報としての役割を果す。
【００１５】
（処理２）転送装置３が該当する入力形式レコード（図１１）「アプリケーション特定情報：Ａ５５／入力形式１：２１桁目から６０桁目＝ドレミドレミミレドドラシラシミミソドドレレレミレドシシソソドラシドラララドレソソ／入力形式２：８１桁目から１００桁目＝著作権管理情報／入力形式３：情報なし／入力形式４：情報なし／入力形式５：情報なし」を検索し、それに基づいて入力情報を加工して、加工後データ「アプリケーション特定情報：Ａ５５／メロディデータ：ドレミドレミミレドドラシラシミミソドドレレレミレドシシソソドラシドラララドレソソ／著作権管理情報：受渡不可」を作成し、携帯電話１に転送する。
（処理３）加工後データを受信した携帯電話１は図５のアプリケーション対応テーブルから該当するアプリケーションが着信メロディの管理であると判断し、受信した加工後データを図１２のようにしてスケジュール管理テーブルに追加・記憶する。具体的には、着メロ管理テーブルを「レコードＮｏ：１／アプリケーション特定情報：Ａ５５／メロディデータ：ドレミドレミミレドドラシラシミミソドドレレレミレドシシソソドラシドラララドレソソ／著作権管理情報：受渡不可」とする。
【００１６】
次に、著作権保護処理について説明する。著作権保護処理とは、著作権保護のために何らかの処理を行うことを言う。本実施形態では、入力情報に含まれる著作権管理情報の内容（受渡可であるか、受渡不可である）を読み取り、それを加工後データに加えて携帯電話１に転送する処理を意味する（転送する加工後データに「受渡可」又は「受渡不可」などの著作権を保護するための情報を含める処理を意味する）。加工後データを受信した携帯電話１にはデータを送信するためのデータ送信部が備えられており、携帯電話１のデータ送信部はデータを送信する際に著作権管理情報の内容が「受渡可」であるか「受渡不可」であるかを確認し、「受渡可」である場合はデータの送信処理を行い、「受渡不可」である場合はデータの送信処理を行わない。このようにすれば著作権を保護することができる。
なお、著作権保護処理とは本実施形態における処理に限るものではない。著作権保護のための処理は現在多数存在し、将来的にも多数開発されることが予想されるが、「著作権保護処理」とはそのような処理をも含むものである。
【００１７】
なお、上記実施形態おいては特定のケースについて説明したが、本発明はこれら特定のケースに限るものではない。例えば、次のようなケースであっても構わない。
（１）上記実施形態では、携帯電話を例にして説明したが、本発明は携帯電話のみならず、ＰＨＳや携帯型のコンピュータ、更には普通のコンピュータなどあらゆる装置・機器に利用できるものである。また、住所録管理、スケジュール管理、着信メロディ管理のみならずあらゆるアプリケーションプログラムのためのデータ入力に利用できるものである。
（２）データの内容は実施形態で説明したデータに限らない。即ち、同様の役割を果たすことができれば、他のどのようなデータであっても構わない。例えば、上記実施形態は二次元バーコードにより情報を入力しているが、その他の手段により情報を入力してもよい。
（３）ハードウェアも実施形態で説明したものに限らない。即ち、同様の役割を果たすことができれば、他のどのようなハードウェアであっても構わない。例えば、携帯電話に転送装置や情報読取り用のカメラが内蔵され、一体化されていてもよい。この場合、携帯電話に内蔵された転送装置が転送手段としての役割を果し、携帯電話（内蔵された転送装置を除く）が処理手段としての役割を果す。
（４）処理の内容や手順についても実施形態で説明したものに限らない。即ち、同様の役割を果たすことができれば、他のどのような処理内容・処理手順であっても構わない。
（５）上記実施形態に登場するデータ（データレコード、テーブル、データベース）のデータ（データ項目）は、原則として各々関連づけられて（対応づけられて）記憶装置に記憶されているものとする。図面に表されたものについても同様である。
【００１８】
【発明の効果】
本発明には次のような効果がある。
（１）本発明を利用すれば、携帯電話など情報入力が面倒な装置にも簡単に情報を入力することができる。
（２）入力情報にはアプリケーション特定情報が含まれているので、入力された実情報がどのアプリケーションプログラムのための情報であるかを容易に判断できる。即ち、実情報を確実にそのアプリケーションプログラムのための情報として登録できるのである。
（３）著作権保護処理を行うので、著作権の適切な保護が図れ、著作権者の利益を保護できる。
【図面の簡単な説明】
【図１】本発明で利用する各装置の概略を示す図である。
【図２】二次元バーコードが印刷された名刺を表した図である。
【図３】入力情報を表した図である。
【図４】  入力形式テーブルを表した図である。
【図５】  アプリケーション対応テーブルを表した図である。
【図６】住所録テーブルを表した図である。
【図７】入力情報を表した図である。
【図８】  入力形式テーブルを表した図である。
【図９】スケジュール管理テーブルを表した図である。
【図１０】入力情報を表した図である。
【図１１】  入力形式テーブルを表した図である。
【図１２】スケジュール管理テーブルを表した図である。
【図１３】従来例（携帯電話）を表した図である。
【符号の説明】
１  携帯電話
２  カメラ
３  転送装置
４  ケーブル
５  二次元バーコード
５０  携帯電話
５１  入力キー
【図１】
2004215195.tif 000003
【図２】
2004215195.tif 000004
【図３】
2004215195.tif 000005
【図４】
2004215195.tif 000006
【図５】
2004215195.tif 000007
【図６】
2004215195.tif 000008
【図７】
2004215195.tif 000009
【図８】
2004215195.tif 000010
【図９】
2004215195.tif 000011
【図１０】
2004215195.tif 000012
【図１１】
2004215195.tif 000013
【図１２】
2004215195.tif 000014
【図１３】
2004215195.tif 000015